(57)【要約】【課題】装置の小型化及び設置面積を削減し操作性を向上させた上で、使用者の誤操作を防止し、見栄えの良い外観を構成とすると共に、表示画像の損なわれない美しい表示を可能とする画像読取記録装置の提供。【解決手段】記録部及び、該記録部の上側に配置され、ＣＣＤやＣＩＳなどの読取ユニット、および原稿を押さえる押さえ部材などからなるフラットベッド型の読取部を有し、前記非透過原稿を押さえる押さえ部材からなる原稿押さえ部が、本体奥側に回転中心を持ち、手前側が上下に回動自在に保持され、該原稿押さえ部の上部手前に操作ボタン群、及び表示部を備えた操作パネルを配置し、該表示部は回動自在に保持され、該表示部を閉じた状態にすると前記操作ボタン群が該表示部によって隠れることを特徴とする画像読取記録装置。【選択図】        図２
2007028497.tif 000002
【特許請求の範囲】
【請求項１】
記録部及び、該記録部の上側に配置され、ＣＣＤやＣＩＳなどの読取ユニット、および原稿を押さえる押さえ部材などからなるフラットベッド型の読取部を有し、前記非透過原稿を押さえる押さえ部材からなる原稿押さえ部が、本体奥側に回転中心を持ち、手前側が上下に回動自在に保持され、該原稿押さえ部の上部手前に操作ボタン群、及び表示部を備えた操作パネルを配置し、該表示部は回動自在に保持され、該表示部を閉じた状態にすると前記操作ボタン群が該表示部によって隠れることを特徴とする画像読取記録装置。
【請求項２】
記録部及び、該記録部の上側に配置され、ＣＣＤやＣＩＳなどの読取ユニット、透過原稿照射用の光源、および非透過原稿を押さえる押さえ部材からなるフラットベッド型の読取部を有し、該フラットベッド型読取部の前記透過原稿照射用の光源及び、前記非透過原稿を押さえる押さえ部材からなる原稿押さえ部が、奥側に回転中心を持ち、手前側が上下に回動自在に保持されると同時に、該原稿押さえ部の上部手前に操作ボタン群、及び表示部を備えた操作パネルを配置し、該表示部は回動自在に保持され、該表示部を閉じた状態にすると前記操作ボタン群が該表示部によって隠れることを特徴とする画像読取記録装置。
【請求項３】
操作部に警告等表示用のＬＥＤを備え、前記表示部を閉じた状態にしても使用者からＬＥＤの点灯及び消灯の状態が確認できることを特徴とする請求項１に記載の画像読取記録装置。
【請求項４】
操作部に警告等表示用のＬＥＤを備え、前記表示部を閉じた状態にしても使用者からＬＥＤの点灯及び消灯の状態が確認できることを特徴とする請求項２に記載の画像読取記録装置。
【請求項５】
前記操作パネルが前記光源に対して手前側に配置されていることを特徴とする、請求項２又は４に記載の画像読取記録装置。
【請求項６】
前記光源用の電源ケーブルと前記表示部及び操作ボタン用の信号ケーブルが共に前記原稿押さえ部の内部を通り、且つ該電源ケーブル及び該信号ケーブルが接触しないように配置されていることを特徴とする請求項５に記載の画像読取記録装置。
【請求項７】
前記光源用の電源ケーブルと前記表示部及び操作ボタン用の信号ケーブルが共に前記原稿押さえ部から前記記録部など、外部のユニットに接続され、各々のケーブルが別の取り出し口から外部に取り出されていることを特徴とする請求項５又は６に記載の画像読取記録装置。
【請求項８】
前記原稿押さえ部の内部において、前記表示部及び操作ボタン用の信号ケーブルが、前記光源に対して出口までの距離が短くなる側の経路を、前記光源用の電源ケーブルが、前記光源に対して前記表示部及び操作ボタン用の信号ケーブルが通らない側の経路を通ることを特徴とする請求項５乃至７いずれかに記載の画像読取記録装置。
【発明の詳細な説明】
【技術分野】
【０００１】
本発明は、ファクシミリ、複写機、複合機などの記録部と画像読取部を持った装置の読取部の原稿押さえ部の構成に係わる画像読取記録装置に関するものである。
【背景技術】
【０００２】
従来、下側に記録部、上側にフラットベッド型読取部を備える複合機は、特許文献１や特許文献２に述べられているように、操作部をＣＣＤ、ＣＩＳといった読取ユニットのある、通常の印字や読取操作では開閉させないユニット側に配置している。
【０００３】
また、近年では特許文献３にあるように写真用フィルムを読取る機能を備えた複合機も販売され、通常、フィルムのような透過原稿を読取る際には透過原稿を原稿台に載置し、原稿に対して前記読取ユニットの対向側から光を照射して読取るのが一般的であり、この光を照射するユニットは簡便な操作と、低価格を目的として、原稿押さえ部に内蔵される事が多い。
【特許文献１】特開２００４−１０１５９０号公報
【特許文献２】特開２００５−７９１５４号公報
【特許文献３】特開２００４−１５１２２号公報
【特許文献４】特開平５−２０４０５８号公報
【発明の開示】
【発明が解決しようとする課題】
【０００４】
従来のような構成にすると、次のような問題があった。
【０００５】
１．特許文献１のように上面側から見て読取部の外側に操作部を配置すると、装置の床に対する投影面積がその分増大し、設置する際の場所を大きく占めることとなってしまっていた。また、特許文献２のように上面側から見て読取部の内側に操作部を配置しても、原稿台ガラスの大きさを、例えばＡ４サイズのような一般的に使用される紙がちょうど収まるような大きさに設定した場合、読取部自体の大きさが少なくともＡ４＋操作部の大きさとなり、やはり設置場所を大きく消費する結果となっていた。
【０００６】
２．また、原稿台や読取部よりも大きな原稿の一部を読取りたい場合に、読取る場所によっては、原稿が操作部や表示部を隠してしまうため、この構成で読取ろうとすると原稿を折り曲げたりする必要が出てくるので、読取作業が繁雑になってしまっていた。
【０００７】
３．上記１、２の課題の対策として、特許文献４のように原稿押さえ部に操作部を配置することも出来るが、使用者が手で開閉する部分であるユニットである為、開閉時に使用者が誤って操作ボタンを押してしまい、意図しない動作をさせてしまう可能性があった。加えて、装置本体を上方から見た場合、通常、略平面で構成されることの多い原稿押さえ部にボタン群が配置され、装置としての一体感が損なわれていた。
【０００８】
４．また、３の場合、フィルムを読取る機能を搭載する際には、そのために必要な光源ユニットを原稿押さえ部に内蔵させる必要があるため、この光源ユニットの電源ケーブル発生するノイズが、原稿押さえ部内で同居する操作部及び表示部の信号ケーブルの信号に影響を及ぼし、表示部の画像やボタン押下状況の検知の誤動作を引き起こす可能性もあった。
【０００９】
本発明は、以上の点に着目して成されたもので、装置の小型化及び設置面積を削減し操作性を向上させた上で、使用者の誤操作を防止し、見栄えの良い外観を構成とすると共に、表示画像の損なわれない美しい表示を可能とする画像読取記録装置を提供することを目的とする。
【課題を解決するための手段】
【００１０】
前記課題を解決する為に、主たる本発明は、画像読取記録装置において、原稿押さえ部上部手前に表示部及び操作部を備えた操作パネルを配置し、回動自在に保持された表示部を閉じた状態にすると、前記表示部の開閉状態によっては前記操作部が隠れることを特徴とするフラットベッド型画像読取記録装置である。
【００１１】
また、請求項２以降に係る発明によれば、透過原稿読取機能を有し、その光源ユニットが原稿押さえ部に内蔵され、光源ユニットの手前に前記操作パネルが配置され、光源ユニット用の電源ケーブルと操作パネル用の信号ケーブルを接触しないよう配置され、これらケーブルが別々の出口から原稿押さえ部のユニット外に出て外部ユニットに接続され、また原稿押さえ部の内部において、前記表示部及び操作ボタン用の信号ケーブルが、前記光源に対して出口までの距離が短くなる側の経路を、前記光源用の電源ケーブルが、前記光源に対して前記表示部及び操作ボタン用の信号ケーブルが通らない側の経路を通ることを特徴とする画像読取記録装置である。
【００１２】
なお、さらに説明すれば、本発明の第一の発明について下記のように示す。
【００１３】
（１）記録部及び、該記録部の上側に配置され、ＣＣＤやＣＩＳなどの読取ユニット、および原稿を押さえる押さえ部材などからなるフラットベッド型の読取部を有し、前記非透過原稿を押さえる押さえ部材からなる原稿押さえ部が、本体奥側に回転中心を持ち、手前側が上下に回動自在に保持され、該原稿押さえ部の上部手前に操作ボタン群、及び表示部を備えた操作パネルを配置し、該表示部は回動自在に保持され、該表示部を閉じた状態にすると前記操作ボタン群が該表示部によって隠れることを特徴とする画像読取記録装置。
【発明の効果】
【００１４】
本発明によれば、上記手段によって、装置の小型化及び設置面積を削減し操作性を向上させた上で、使用者の誤操作を防止し、見栄えの良い外観を構成とすると共に、表示画像の損なわれない美しい表示を可能とする画像読取記録装置を提供できる。
【発明を実施するための最良の形態】
【００１５】
次に本発明に係る一実施形態である画像読取装置について説明する。
【実施例】
【００１６】
本実施形に係る画像読取記録装置を図に従って説明する。
【００１７】
図１は、本実施例の斜視図である。図２は、中央断面図、図３は、右側面の透視図、図４は、右カバーをはずした図である。図１、図２、図３、図４に示すように、パネル部１、スキャナ部２、記録部３、電気基板部４、カードスロット部５、原稿押さえ部である原稿圧板部６により構成されている。
【００１８】
まず、パネル部１について説明する。
【００１９】
図５はパネル部の拡大図、図６はＬＣＤ部１１を開いた図、図７はパネルユニットのストッパ説明図、図８はパネルユニットのストッパ断面図、図９は、パネル部１を含んだ原稿圧板部の図である。
【００２０】
構造として、カラースタートキー１３ａ、モノクロスタートキー１３ｂ、ストップキー１３ｃ、十字キー１３ｄ、機能キー１３ｅ、電源キー１３ｆ、ファンクションキー１３ｇ、が、それぞれ１つ以上のキーが一体的に構成されており、パネルカバー１２の中に取り付けてある。パネル基板１６上には、図示しないタクトスイッチがキー１３の下に半田付けされている。ＬＣＤユニット１１の中には、図示しないＬＣＤモジュールと電気基板が内蔵されており、透明部材のＬＣＤ窓１１ａ表面に取り付けてある。ＬＣＤユニット１１は、ヒンジ１１ｂを中心に回転できるように構成されており、ユーザーが操作できるようになっている。
【００２１】
また、図７、図８に示すように、ＬＣＤユニット１１にヒンジ１１ｂが取り付けてあり、パネルユニット本体側にヒンジブラケット１１ｃがヒンジ１１ｂの中に入り込むように構成されている。また、スプリング１１ｄがヒンジ１１ｂとヒンジブラケット１１ｃの重なっているところにはめ込んであり、この部分を締め付けている。これによりＬＣＤ部１１が開閉されたときに抵抗、および摩擦により、自由な角度に保持することができる。
【００２２】
また、ＬＣＤ部を開いたときに図６のようにユーザーから見える位置にあるボタン群は、ＬＣＤ部を閉じたときに、図５や図１のように、閉じられたＬＣＤ部によってすべて隠される構成になっており、この構成によって、原稿圧板部上面、ひいては装置自体を上から見た外観を略平面然とし、すっきりした外観を見せることが出来る。
【００２３】
また、パネル部１の非可動側即ちＬＣＤボタン群のある側にＬＥＤ１５があり、ＬＣＤ部を閉じた状態でもＬＥＤは外側から見える状態にあり、ＬＣＤの開閉にかかわらず、点灯・消灯状態を常に確認することが出来る。
【００２４】
また図６、図１０に示すように原稿圧板部６を開閉操作する際に操作しやすいよう、手を引っ掛ける取っ手部１４があり、ユーザーはここに手を掛けて開閉する。
【００２５】
図６のように取っ手部は操作パネルの下に位置するが、図５のようにＬＣＤを閉じることによって、原稿圧板部６を開閉操作するときでもユーザーが誤って操作ボタンを押下してしまうことを防ぐことが出来る。
【００２６】
図９に示すようにパネル部１は、原稿圧板部６に一体的に取り付けてあり、また、原稿圧板部６には、透過原稿を読取るための光源である蛍光灯６３ａ，６３ｂが取り付けてあり、反射板６２、拡散板６４、インバータ６１が取り付けてある。蛍光灯６３ａ，６３ｂが光ることにより、スキャナ部２の原稿ガラス２３に置いたフィルムを読取ることができる。
【００２７】
図２に示すように、パネル部１は、反射板６２の装置手前部に配置してあり、反射板６２の高さの範囲でパネル部１が収まるように配置してある。また、これらの配線は、図９に示すように、インバータ６１は、インバータ線６５、パネル部１は、パネル線６６に分かれて配置されており、原稿圧板部６の外に配線を出している。外に出た線は、それぞれ被覆をかぶせた線、６５ａ，６６ｂとなり、再び、装置の別の穴部から、装置の中に入っている。
【００２８】
また、パネル部から原稿圧板部６の外にパネル線６６を配線する際、インバータ６１、インバータ線６５、蛍光管などと接触しないよう、これらと重ならない経路を取った上で、蛍光灯６３ａ，６３ｂに対して、パネル部から出口までの配線長が短く取れる側のルートを選択している。さらに、蛍光灯から出口までの配線は蛍光灯６３ａ，６３ｂに対してパネル線６６の通っていない側に設定されている。
【００２９】
こうすることでパネル線に含まれる、ＬＣＤ表示用の信号やボタン押下のセンサの信号を伝達するノイズに対してデリケートな信号線群をノイズの発生しやすいインバータ線から離し、信号線群に対してノイズの影響を及ぼしにくくなっている。
【００３０】
原稿圧板部６には、圧板ヒンジ６７ａ，６７ｂが取り付けてあり、原稿圧板６自体が回転可能であり、同時に、スキャナ部２の穴に上下可動に挿入されているので、厚みのあるブック原稿にも対応している。
【００３１】
次にスキャナ部２の説明をする。
【００３２】
図１０は、原稿をセットする際の本体図である。ガラス２３はカバー１２５により、上から押えられている。原稿の浮きを押さえる圧板２１と、スポンジと白色シートで構成されている圧板白シート２２スポンジフレーム２２ａに取り付けてあり、圧板２１がヒンジ１２４を介して取り付けられている。これらの内部部品はすべてスキャナフレーム１２０に取り付けられている。画像を読取るＣＣＤ読取ユニット２４が、コピーやＰＣからのスキャン動作の時に、矢印Ｂの方向に駆動され、ガラス２３を介して原稿を読取る。
【００３３】
次に、フィルムを読取る時の動作について説明する。図１０のスポンジフレーム２２ａは取り外し出来るようになっており、図１１のようにはずし、図１２のように圧板２１の一部である拡散板６４が露出するようになっている。図１３のように、取り外したスポンジフレーム２２ａには、フィルムガイド２２１が収納されており、図１４のように取り外すことが出来る。
【００３４】
図１５に示すように、取り外したフィルムガイド２２１は、ガラス２３上にセットし、固定部材２２１ａを上にあげ、ネガフィルム２２１ｂをセットし、再び、固定部材２２１ａを下に下げ固定する。そのあと、圧板２１を閉めてフィルムを読取る準備が完了する。
【００３５】
次に、スキャナユニット部２を本体に取り付けている構造について説明する。図１６、図１７に示すように、スキャナユニット２にはダンパーユニット７が左に取り付けている。
【００３６】
図１７は、スキャナユニット２を開いた状態にしたときの図で、スキャナフレーム１２０のヒンジ部が、ミドルフレーム２３１の軸受け部２３１ｂに入っている。ミドルフレーム２３１には、左右にアンチショックユニットが取り付けられている。
【００３７】
ダンパーユニット７の構成について説明する。
【００３８】
図１９は、ダンパーユニット図、図２０は内部の構造を示した図である。カバー７１とダンパーベース７５を外すと、ダンパーアーム７２とダンパーアーム７２に圧入してあるスプリングピン７４ａ，７４ｂ，圧縮バネ７３で構成されている。
【００３９】
図１９の状態では、矢印Ｊの方向に伸びる力がかかっており、ある程度伸びた状態で、スプリングピン７４ａ，７４ｂがカバー７１に係合し、ストップするようになっている。また、スプリングピン７４ｃの位置にも、挿入することができ、ストロークの調整をおこなうことができる。また、ダンパーゴム７６は，カバー７１に取り付けてあり、スプリングピン７４ａが圧縮バネ７３により、伸ばされたときの受け部になる。このダンパーゴム７６を設けることにより、騒音の低減、カバーの破損防止などの効果がある。このダンパーアームの軸部７２ａは、スキャナユニット２に、ダンパーベース７５の軸部７５ａはミドルフレーム２３１に回転可能なように係合されている。
【００４０】
図２１において、軸受け部２３１ｂと７５ａとを結ぶラインＱより、上側ではスキャナユニット２は、Ｎの方向に、下側では、Ｐの方向に力がかかるようになり、ラインＱを境に、トグルの関係なっている。次にアンチショックユニットについて説明する。ベース８１にオイルダンパ８４、ギア８３、アーム８２、ねじりコイルばね８５で構成されており、図２２に状態では、矢印Ｋの方向にねじりコイルばね８５で突き上げている。また、Ｌの方向に力がかかると、ギア８３を通じて増速され、オイルダンパ８４に作用し、抵抗を受けるようになる。
【００４１】
図１６の状態において、ダンパーユニット７は、Ｊの方向に伸びようとしているが、上記のトグルの関係でＲの方向に力がかかっている。また、ミドルフレーム２３１で支えている軸部７５ａもＭの方向の力を受けているが、この両方の軸部はともに、金属性の支え部材２３２で支えており、プラスチック部材で直接支えることはないので、クリープ変形などの恐れは少なくなる。
【００４２】
図１８は、上記のダンパーユニット７の力が上から、下へ変る角度附近の図で、図２１のラインＱ上に、ダンパーアームの軸部７２ａがある。この状態において、アーム８２は、ちょうどスキャナ部２に接触しており、ダンパーユニット７により、スキャナ部２が下へ引っ張られても、アンチショックユニットにより、減速され、閉まることを防止できる。また、スキャナ部２を持ち上げ、開くときには、アンチショックユニットはスキャナ部２につながっていないため作用しない。従って、逆の力により、開くときの力が重くなることはない。
【００４３】
次に、記録部３について説明する。
【００４４】
図２で示すように、矢印Ｃの方向に記録紙は搬送される。
【００４５】
積載された記録紙は、図示しないカムにより中板３６が押し上げられ、給紙ローラ３４と分離ローラ３５により一枚に分離され給送される。この分離機構は、実際に駆動されるのは給紙ローラ３４で、分離ローラ３５は、回転方向に一定以上のトルクがかからないと回転しないようになっており、複数枚の紙がこのローラ間に入ったとき、紙を分離する力より、分離ローラを回転させる力の方が強いので、一枚ずつ記録紙を搬送することができる。
【００４６】
これらのローラで分離された原稿は搬送ローラ３７ａとピンチコロ３７ｂとの間に搬送され、一定速度でインクジェット印字部に搬送される。カートリッジ３９は、ガイドシャフト１３４にガイドされ記録紙の送り方向に対して垂直方向に動かすことにより、記録紙に印字する。印字をした記録紙は、排紙ローラ対１３０により、記録紙排紙トレイ１３１に排出される。
【００４７】
なお、排紙トレイ１３１は、記録の印字の開始とともに自動的に開くようになっている。これにより、ユーザーが、排紙トレイ１３１を開き忘れて、記録紙をＪＡＭさせることを防止することができる。
【００４８】
尚、本実施例で使用しているインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式のプリント装置について説明したが、かかる方式によれば記録の高密度化、高精細化が達成できる。
【００４９】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００５０】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００５１】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００５２】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００５３】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００５４】
また、本発明の記録装置の構成として設けられる、記録ヘッドに対しての回復手段、予備的な補助手段等を付加することは本発明の効果を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００５５】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００５６】
次に本画像読取記録装置のオペレーションの一例について説明する。図６のパネル部のキーを操作することにより、動作させる。たとえば、コピーを行うときの操作について説明する。電源キー１３ｆを押す。次に、機能キー１３ｅでコピーキーを選択する。メニューキーで、画質、記録させるメディアを選択、矢印キーでコピー枚数を設定する。その後、圧板２１を開けて、コピーしたい原稿をガラス２３上にセットする。記録紙を記録紙トレイ３２にセットし、最後にカラーコピーをするときはのカラースタートキー１３ａを押し、モノクロコピーをするときは、モノクロスタートキー１３ｂを押す。このように、パネル部１のキーは、操作する順番に左から右に操作することにより、すべての操作が抜けなく、自然におこなうことが出来るように配置されている。操作方法の例として、コピーで説明したが、最初の機能キー１３ｅで、スキャンを選択すると、ＵＳＢを通じて接続されているＰＣからのスキャンをさせることができる。写真を選択すると、前述のカードスロット部５に挿入されている画像を直接記録部３に記録させることができる。
【図面の簡単な説明】
【００５７】
【図１】本発明の実施例に係る画像読取記録装置の斜視図
【図２】本発明の実施例に係る画像読取記録装置の断面図
【図３】本発明の実施例に係る画像読取記録装置の右部の断面図
【図４】本発明の実施例に係る画像読取記録装置の右カバーを外した図
【図５】本発明の実施例に係る画像読取記録装置の原稿圧板ユニット図
【図６】本発明の実施例に係る画像読取記録装置のパネル部の図
【図７】本発明の実施例に係る画像読取記録装置のＬＣＤヒンジ部の詳細図
【図８】本発明の実施例に係る画像読取記録装置のＬＣＤヒンジ部の断面図
【図９】本発明の実施例に係る画像読取記録装置の原稿圧板内部の構造図
【図１０】本発明の実施例に係る画像読取記録装置の原稿圧板開時の原稿台図
【図１１】本発明の実施例に係る画像読取記録装置のスポンジフレーム取り外し図
【図１２】本発明の実施例に係る画像読取記録装置のスポンジフレーム取り外し後の図
【図１３】本発明の実施例に係る画像読取記録装置のスポンジフレーム図
【図１４】本発明の実施例に係る画像読取記録装置のフィルムガイド取り外し図
【図１５】本発明の実施例に係る画像読取記録装置のフィルムガイドセット図
【図１６】本発明の実施例に係る画像読取記録装置のスキャナユニット閉の図
【図１７】本発明の実施例に係る画像読取記録装置のスキャナユニット開の図
【図１８】本発明の実施例に係る画像読取記録装置のスキャナユニットトグル位置の図
【図１９】本発明の実施例に係る画像読取記録装置のダンパーユニット図
【図２０】本発明の実施例に係る画像読取記録装置のダンパーユニット構造図
【図２１】本発明の実施例に係る画像読取記録装置のダンパーユニットトグル説明図
【図２２】従来例に係る画像読取記録装置のアンチショックユニット図
【符号の説明】
【００５８】
１  パネル部
２  読取部
３  記録部
４  電気基板部
５  カードスロット部
６  原稿圧板部
７  ダンパーユニット
１１  ＬＣＤユニット
１２  パネルカバー
２１  圧板
２３  ガラス
３９  カートリッジ
２３１  ミドルフレーム
【図１】
2007028497.tif 000003
【図２】
2007028497.tif 000004
【図３】
2007028497.tif 000005
【図４】
2007028497.tif 000006
【図５】
2007028497.tif 000007
【図６】
2007028497.tif 000008
【図７】
2007028497.tif 000009
【図８】
2007028497.tif 000010
【図９】
2007028497.tif 000011
【図１０】
2007028497.tif 000012
【図１１】
2007028497.tif 000013
【図１２】
2007028497.tif 000014
【図１３】
2007028497.tif 000015
【図１４】
2007028497.tif 000016
【図１５】
2007028497.tif 000017
【図１６】
2007028497.tif 000018
【図１７】
2007028497.tif 000019
【図１８】
2007028497.tif 000020
【図１９】
2007028497.tif 000021
【図２０】
2007028497.tif 000022
【図２１】
2007028497.tif 000023
【図２２】
2007028497.tif 000024